(57)【要約】【課題】安価な構成で、全ての放送データから利用者にとって有用な情報データのみを選別蓄積することができる情報受信装置を提供する。【解決手段】受信部２０３は、情報取得エリアごとに区切られた所定のエリアの情報を放送する放送局からの放送データを受信して、情報データを出力する。操作部２０１は、利用者により目的地が設定されると、その目的地の位置の情報を出力し、選別信号生成部２０２はその目的地を含む情報取得エリアを示す選別信号を生成する。データ選別部２０４は、受信部２０３からの情報データに含まれるエリア情報と識別子を、選別信号および記憶部２０５に既に蓄積されてる情報データに含まれる識別子と比較して、選別信号に該当し且つ記憶部２０５内の情報データに含まれる識別子には該当しないものを選別し、記憶部２０５へ送出する。【選択図】図２
2006345216.tif 000002
【特許請求の範囲】
【請求項１】
情報取得エリアごとに区切られた所定のエリアに係る情報データを受信する受信手段と、
前記所定のエリアに係る情報データのうちから所望の情報取得エリアに係る情報データを選別蓄積するための位置の情報を設定する位置情報設定手段と、
前記位置情報設定手段によって設定された位置の情報を基に所望の情報取得エリアを特定し、該情報取得エリアを示す選別信号を生成する選別信号生成手段と、
所望の情報取得エリアに係る情報データを蓄積する記憶手段と、
前記受信手段からの情報データに含まれるエリア情報を前記選別信号生成手段からの選別信号と比較するとともに、前記受信手段からの情報データに含まれる属性情報を前記記憶手段内の情報データに含まれる属性情報と比較して、前記選別信号生成手段からの選別信号に該当し且つ前記記憶手段内の情報データに含まれる属性情報には該当しない情報データを選別するデータ選別手段と、
を備え、前記記憶手段には前記データ選別手段によって選別された情報データを蓄積することを特徴とする情報受信装置。
【請求項２】
請求項１記載の情報受信装置であって、前記データ選別手段は、前記受信手段からの情報データに含まれる属性情報を前記記憶手段内の情報データに含まれる属性情報と比較する代わりに、前記受信手段からの情報データの内容を前記記憶手段内の情報データの内容と比較して、前記選別信号生成手段からの選別信号に該当し且つ前記記憶手段内の情報データと内容が異なる情報データを選別する、ことを特徴とする情報受信装置。
【請求項３】
請求項１もしくは２のいずれかに記載の情報受信装置であって、前記記憶手段内の情報データに対する記憶管理指示を予め保持し、前記位置情報設定手段によって設定された位置の情報を基に、前記記憶手段内の情報データに含まれるエリア情報もしくは位置情報を監視して、情報データの保護、上書き設定、消去を前記記憶管理指示に従って実行させる記憶管理手段を備えることを特徴とする情報受信装置。
【請求項４】
請求項１ないし３のいずれかに記載の情報受信装置であって、
前記位置情報設定手段は、利用者が任意の位置を設定可能な操作部を具備し、
前記選別信号生成手段は、前記操作部によって設定された位置が属する情報取得エリアを特定し、該情報取得エリアを示す選別信号を生成する、
ことを特徴とする情報受信装置。
【請求項５】
請求項４記載の情報受信装置であって、
前記操作部は、情報データに含まれる属性情報の内容を指定可能であり、
前記選別信号生成手段は、前記操作部によって設定された位置が属する情報取得エリアを示す信号に前記操作部によって指定された属性情報の内容を示す信号を加えた選別信号を生成し、
前記データ選別手段は、前記受信手段からの情報データに含まれるエリア情報に加えて属性情報も前記選別信号生成手段からの選別信号と比較する機能を有する、
ことを特徴とする情報受信装置。
【請求項６】
請求項１ないし３のいずれかに記載の情報受信装置であって、
前記位置情報設定手段は、当該装置の現在位置を検出して設定する位置検出部を具備し、
前記選別信号生成手段は、前記位置検出部によって設定された現在位置が属する情報取得エリアを特定し、該情報取得エリアを示す選別信号を生成する、
ことを特徴とする情報受信装置。
【請求項７】
請求項６記載の情報受信装置であって、
前記位置情報設定手段は、前記位置検出部からの現在位置の情報を所定数サンプリングして移動方向を予測する移動方向予測部をさらに具備し、
前記選別信号生成手段は、前記位置検出部によって設定された現在位置の情報と前記移動方向予測部によって予測された移動方向の情報を基に、移動先の情報取得エリアを予測して特定し、該情報取得エリアを示す選別信号をさらに生成する、
ことを特徴とする情報受信装置。
【請求項８】
請求項７記載の情報受信装置であって、前記位置情報設定手段は、当該装置が搭載される移動体のギアの状態を監視するギア状態監視部を具備し、前記移動方向予測部は、前記移動体のギアの状態を基にサンプリング対象の現在位置の情報を決定する、ことを特徴とする情報受信装置。
【請求項９】
請求項４記載の情報受信装置であって、
前記位置情報設定手段は、当該装置の現在位置を検出して設定する位置検出部をさらに具備し、
前記選別信号生成手段は、前記位置検出部によって設定された現在位置が属する情報取得エリアを特定し、該情報取得エリアを示す選別信号をさらに生成する、
ことを特徴とする情報受信装置。
【請求項１０】
請求項５記載の情報受信装置であって、
前記位置情報設定手段は、当該装置の現在位置を検出して設定する位置検出部をさらに具備し、
前記選別信号生成手段は、前記位置検出部によって設定された現在位置が属する情報取得エリアを特定し、該情報取得エリアを示す信号に前記操作部によって指定された属性情報の内容を示す信号を加えた選別信号を生成する、
ことを特徴とする情報受信装置。
【請求項１１】
請求項９記載の情報受信装置であって、
前記位置情報設定手段は、前記位置検出部からの現在位置の情報を所定数サンプリングして移動方向を予測する移動方向予測部をさらに具備し、
前記選別信号生成手段は、前記位置検出部によって設定された現在位置の情報と前記移動方向予測部によって予測された移動方向の情報を基に、移動先の情報取得エリアを予測して特定し、該情報取得エリアを示す選別信号をさらに生成する、
ことを特徴とする情報受信装置。
【請求項１２】
請求項１０記載の情報受信装置であって、
前記位置情報設定手段は、前記位置検出部からの現在位置の情報を所定数サンプリングして移動方向を予測する移動方向予測部をさらに具備し、
前記選別信号生成手段は、前記位置検出部によって設定された現在位置の情報と前記移動方向予測部によって予測された移動方向の情報を基に、移動先の情報取得エリアを予測して特定し、該情報取得エリアを示す信号に前記操作部によって指定された属性情報の内容を示す信号を加えた選別信号を生成する、
ことを特徴とする情報受信装置。
【請求項１３】
請求項１１もしくは１２のいずれかに記載の情報受信装置であって、前記位置情報設定手段は、当該装置が搭載される移動体のギアの状態を監視するギア状態監視部を具備し、前記移動方向予測部は、前記移動体のギアの状態を基にサンプリング対象の現在位置の情報を決定する、ことを特徴とする情報受信装置。
【請求項１４】
請求項１ないし１３のいずれかに記載の情報受信装置であって、
前記位置情報設定手段は、情報取得エリアを特定するための情報に対して、所定のデータ種別の情報を加える重み付け部をさらに具備し、
前記選別信号生成手段は、情報取得エリアを示す信号に前記重み付け部により追加されたデータ種別を示す信号を加えた選別信号を生成する、
ことを特徴とする情報受信装置。
【請求項１５】
請求項１４記載の情報受信装置であって、前記重み付け部は、情報取得エリアを特定するための情報に対し、操作部によりデータ種別の設定がなされていると、そのデータ種別の設定を優先させる、ことを特徴とする情報受信装置。
【請求項１６】
請求項１ないし１５のいずれかに記載の情報受信装置を具備する情報受信再生装置であって、現在位置の情報を基に、前記記憶手段内の情報データのうちから、現在位置から所定距離内の情報データもしくは現在位置が属する情報取得エリアに係る情報データを再生する再生管理手段を備えることを特徴とする情報受信再生装置。
【発明の詳細な説明】
【技術分野】
【０００１】
本発明は、放送局より放送される情報データを受信して蓄積する情報受信装置、および情報受信再生装置に関する。
【背景技術】
【０００２】
従来より、車載用情報端末装置へ情報を提供する情報提供システムとして、例えば、放送局が、定期的に、特定の施設の情報や特定のエリアで開催されるイベントの情報などのデータをそれらの位置データとともに放送し、車載用情報端末装置が、放送された全てのデータを受信して、前記位置データを標識としてデータベースに蓄積・更新し、ユーザが目的地を設定すると、車載用情報端末装置が、その目的地周辺のエリア（地域）内の座標を持つ位置データをデータベースから検索し、その位置データに係る情報データを読み出して表示するシステムが提案されている（例えば、特許文献１参照。）。
【０００３】
しかしながら、この従来の車載用情報端末装置は、放送局から放送される全ての情報データを蓄積・更新するため、ユーザにとって必要でない情報、例えば目的地周辺エリア外の情報データを蓄積・更新するための記憶領域も必要となり、一定の記憶容量の記録媒体に、ユーザにとって無用な情報データが蓄積され、一定の記憶容量の記録媒体を有効に活用できないという問題があった。
【０００４】
また、車載用情報端末装置へ情報を提供する従来の情報提供システムの他の例として、車載用情報端末装置が特定のデータを要求する信号を出力し、該要求に対して特定のデータを配信するシステムも提案されている（例えば、特許文献２参照。）。しかしながら、この従来の情報提供システムでは、双方向な通信設備を備える必要があるため、車載用情報端末装置が高価になるという問題があった。
【特許文献１】特開平１１−３０５２４号公報（第３−５頁）
【特許文献２】特開２００１−２４４８７４号公報（第６頁）
【発明の開示】
【発明が解決しようとする課題】
【０００５】
本発明は、上記問題点に鑑み、目的地や、現在位置、目的地までのルートなどの利用者が情報の提供を所望する位置の情報から、それらの周辺地域（エリア）を特定し、放送局から受信した情報データに含まれるエリア情報と比較して該当するもののみを選別蓄積することにより、一定の記憶容量の記憶媒体に、利用者にとって有用な情報のみが蓄積されるようになり、放送局から受信した情報データを蓄積するのに必要な記憶領域を削減することができ、一定の記憶容量の記録媒体を有効に活用できるようになるとともに、双方向な通信設備を必要としない安価な構成となる情報受信装置、および情報受信再生装置を提供することを目的とする。
【課題を解決するための手段】
【０００６】
本発明の請求項１記載の情報受信装置は、情報取得エリアごとに区切られた所定のエリアに係る情報データを受信する受信手段と、前記所定のエリアに係る情報データのうちから所望の情報取得エリアに係る情報データを選別蓄積するための位置の情報を設定する位置情報設定手段と、前記位置情報設定手段によって設定された位置の情報を基に所望の情報取得エリアを特定し、該情報取得エリアを示す選別信号を生成する選別信号生成手段と、所望の情報取得エリアに係る情報データを蓄積する記憶手段と、前記受信手段からの情報データに含まれるエリア情報を前記選別信号生成手段からの選別信号と比較するとともに、前記受信手段からの情報データに含まれる属性情報を前記記憶手段内の情報データに含まれる属性情報と比較して、前記選別信号生成手段からの選別信号に該当し且つ前記記憶手段内の情報データに含まれる属性情報には該当しない情報データを選別するデータ選別手段と、を備え、前記記憶手段には前記データ選別手段によって選別された情報データを蓄積することを特徴とする。
【０００７】
また、本発明の請求項２記載の情報受信装置は、請求項１記載の情報受信装置であって、前記データ選別手段は、前記受信手段からの情報データに含まれる属性情報を前記記憶手段内の情報データに含まれる属性情報と比較する代わりに、前記受信手段からの情報データの内容を前記記憶手段内の情報データの内容と比較して、前記選別信号生成手段からの選別信号に該当し且つ前記記憶手段内の情報データと内容が異なる情報データを選別する、ことを特徴とする。
【０００８】
また、本発明の請求項３記載の情報受信装置は、請求項１もしくは２のいずれかに記載の情報受信装置であって、前記記憶手段内の情報データに対する記憶管理指示を予め保持し、前記位置情報設定手段によって設定された位置の情報を基に、前記記憶手段内の情報データに含まれるエリア情報もしくは位置情報を監視して、情報データの保護、上書き設定、消去を前記記憶管理指示に従って実行させる記憶管理手段を備えることを特徴とする。
【０００９】
また、本発明の請求項４記載の情報受信装置は、請求項１ないし３のいずれかに記載の情報受信装置であって、前記位置情報設定手段は、利用者が任意の位置を設定可能な操作部を具備し、前記選別信号生成手段は、前記操作部によって設定された位置が属する情報取得エリアを特定し、該情報取得エリアを示す選別信号を生成する、ことを特徴とする。
【００１０】
また、本発明の請求項５記載の情報受信装置は、請求項４記載の情報受信装置であって、前記操作部は、情報データに含まれる属性情報の内容を指定可能であり、前記選別信号生成手段は、前記操作部によって設定された位置が属する情報取得エリアを示す信号に前記操作部によって指定された属性情報の内容を示す信号を加えた選別信号を生成し、前記データ選別手段は、前記受信手段からの情報データに含まれるエリア情報に加えて属性情報も前記選別信号生成手段からの選別信号と比較する機能を有する、ことを特徴とする。
【００１１】
また、本発明の請求項６記載の情報受信装置は、請求項１ないし３のいずれかに記載の情報受信装置であって、前記位置情報設定手段は、当該装置の現在位置を検出して設定する位置検出部を具備し、前記選別信号生成手段は、前記位置検出部によって設定された現在位置が属する情報取得エリアを特定し、該情報取得エリアを示す選別信号を生成する、ことを特徴とする。
【００１２】
また、本発明の請求項７記載の情報受信装置は、請求項６記載の情報受信装置であって、前記位置情報設定手段は、前記位置検出部からの現在位置の情報を所定数サンプリングして移動方向を予測する移動方向予測部をさらに具備し、前記選別信号生成手段は、前記位置検出部によって設定された現在位置の情報と前記移動方向予測部によって予測された移動方向の情報を基に、移動先の情報取得エリアを予測して特定し、該情報取得エリアを示す選別信号をさらに生成する、ことを特徴とする。
【００１３】
また、本発明の請求項８記載の情報受信装置は、請求項７記載の情報受信装置であって、前記位置情報設定手段は、当該装置が搭載される移動体のギアの状態を監視するギア状態監視部を具備し、前記移動方向予測部は、前記移動体のギアの状態を基にサンプリング対象の現在位置の情報を決定する、ことを特徴とする。
【００１４】
また、本発明の請求項９記載の情報受信装置は、請求項４記載の情報受信装置であって、前記位置情報設定手段は、当該装置の現在位置を検出して設定する位置検出部をさらに具備し、前記選別信号生成手段は、前記位置検出部によって設定された現在位置が属する情報取得エリアを特定し、該情報取得エリアを示す選別信号をさらに生成する、ことを特徴とする。
【００１５】
また、本発明の請求項１０記載の情報受信装置は、請求項５記載の情報受信装置であって、前記位置情報設定手段は、当該装置の現在位置を検出して設定する位置検出部をさらに具備し、前記選別信号生成手段は、前記位置検出部によって設定された現在位置が属する情報取得エリアを特定し、該情報取得エリアを示す信号に前記操作部によって指定された属性情報の内容を示す信号を加えた選別信号を生成する、ことを特徴とする。
【００１６】
また、本発明の請求項１１記載の情報受信装置は、請求項９記載の情報受信装置であって、前記位置情報設定手段は、前記位置検出部からの現在位置の情報を所定数サンプリングして移動方向を予測する移動方向予測部をさらに具備し、前記選別信号生成手段は、前記位置検出部によって設定された現在位置の情報と前記移動方向予測部によって予測された移動方向の情報を基に、移動先の情報取得エリアを予測して特定し、該情報取得エリアを示す選別信号をさらに生成する、ことを特徴とする。
【００１７】
また、本発明の請求項１２記載の情報受信装置は、請求項１０記載の情報受信装置であって、前記位置情報設定手段は、前記位置検出部からの現在位置の情報を所定数サンプリングして移動方向を予測する移動方向予測部をさらに具備し、前記選別信号生成手段は、前記位置検出部によって設定された現在位置の情報と前記移動方向予測部によって予測された移動方向の情報を基に、移動先の情報取得エリアを予測して特定し、該情報取得エリアを示す信号に前記操作部によって指定された属性情報の内容を示す信号を加えた選別信号を生成する、ことを特徴とする。
【００１８】
また、本発明の請求項１３記載の情報受信装置は、請求項１１もしくは１２のいずれかに記載の情報受信装置であって、前記位置情報設定手段は、当該装置が搭載される移動体のギアの状態を監視するギア状態監視部を具備し、前記移動方向予測部は、前記移動体のギアの状態を基にサンプリング対象の現在位置の情報を決定する、ことを特徴とする。
【００１９】
また、本発明の請求項１４記載の情報受信装置は、請求項１ないし１３のいずれかに記載の情報受信装置であって、前記位置情報設定手段は、情報取得エリアを特定するための情報に対して、所定のデータ種別の情報を加える重み付け部をさらに具備し、前記選別信号生成手段は、情報取得エリアを示す信号に前記重み付け部により追加されたデータ種別を示す信号を加えた選別信号を生成する、ことを特徴とする。
【００２０】
また、本発明の請求項１５記載の情報受信装置は、請求項１４記載の情報受信装置であって、前記重み付け部は、情報取得エリアを特定するための情報に対し、操作部によりデータ種別の設定がなされていると、そのデータ種別の設定を優先させる、ことを特徴とする。
【００２１】
また、本発明の請求項１６記載の情報受信再生装置は、請求項１ないし１５のいずれかに記載の情報受信装置を具備する情報受信再生装置であって、現在位置の情報を基に、前記記憶手段内の情報データのうちから、現在位置から所定距離内の情報データもしくは現在位置が属する情報取得エリアに係る情報データを再生する再生管理手段を備えることを特徴とする。
【発明の効果】
【００２２】
以上のように、本発明によれば、一定の記憶容量の記憶媒体に、利用者にとって有用な情報のみが蓄積されるので、放送局から受信した情報データを蓄積するのに必要な記憶領域が削減され、一定の記憶容量の記録媒体を有効に活用できるようになるとともに、双方向な通信設備を必要としない安価な構成を実現することができる。
【発明を実施するための最良の形態】
【００２３】
以下、本発明の実施の形態について、カーナビゲーションシステムへの適用を例として、図面を参照しながら説明する。本実施の形態に係る情報受信装置、および情報受信再生装置は、情報取得エリアごとに区切られた所定の地域（エリア）に係る様々な情報（情報データ）を定期的に放送する放送局からの放送電波（放送データ）を受信して、その放送データのうちから所望の情報取得エリアに係る情報データを選別して記憶部（記憶手段）に蓄積する点に特徴がある。
【００２４】
図１は、本実施の形態に係る放送データのフォーマットの一例を示す図である。ここでは、図１に示すように、放送データがパケットによって構成される場合について説明する。放送データ１０１を構成するパケット１０２は、情報データ本体が格納されるデータ部１０３と該データ部に関する情報を持つヘッダ部１０４とからなる。ヘッダ部１０４の一部は、データ選別時に利用するデータ選別コード部１０５からなる。なお、１つのパケットで１つの情報データを送信できない場合には、複数のパケットに分けて送信するので、この場合、ヘッダ部には他のパケットとの関連性を示す情報が挿入される。
【００２５】
データ選別コード部１０５は、各種の属性コード（属性情報）からなる。データ選別コード部１０５を構成する属性コードの種類が多いほど、より細かなデータ選別を実現できる。ここで、データ選別コード部１０５に含まれる各種属性コードについて、具体的な例を挙げる。
【００２６】
図１において、ＩＤコード（識別子）１０６は、情報データを識別するためのコードである。また、地域コード（エリア情報）１０７は、情報データがどの情報取得エリアに係る情報であるのかを判別するためのコードである。また、データ種別コード（データ種別情報）１０８は、情報データのデータ種別（例えば、文字情報、音声情報、映像情報など）を判別するためのコードである。また、業種コード（業種情報）１０９は、情報データがどの業種（例えば、宿泊施設、商業施設、飲食施設など）に関する情報であるのかを判別するためのコードである。この他にも、例えば、情報データの更新頻度（例えば、年刊、月刊、週刊、日刊、随時更新など）を判別するためのコードである更新頻度コード（更新頻度情報）や、情報データが宿泊施設の情報である場合に地図情報とリンクして地図上にその宿泊施設の位置を表示するためのコードである座標コード（位置情報）などが付加される。
【００２７】
なお、放送局が対象としている地域を情報取得エリアに区切る方法としては、例えば、郵便番号で区切る方法や、電話番号で区切る方法、都道府県、市区町村で区切る方法、地図情報を方眼目に区切って通し番号を付ける方法などがある。また、データの種別を分ける方法としては、例えば、文字情報、音声情報、映像情報などに分ける方法がある。また、業種を分ける方法としては、例えば、宿泊施設、商業施設、飲食施設などに分ける方法がある。
【００２８】
（実施の形態１）
続いて、本実施の形態１に係る情報受信装置について説明する。
図２は、本実施の形態１に係る情報受信装置の構成を示している。当該情報受信装置は、自動車（移動体）に搭載されている。
【００２９】
図２において、位置情報設定手段である操作部２０１は、利用者が任意の位置を設定可能な入力手段である。操作部２０１により設定された位置の情報は、その位置が属する情報取得エリア（所望の情報取得エリア）に係る情報データを、図示しない放送局から受信した情報データのうちから選別蓄積するための情報として用いられる。
【００３０】
具体的には、利用者は、操作部２０１により、目的地の設定や、ルートの設定、調査したい地点・エリアの設定を行うことができる。これらの設定は、例えば図示しない画面に表示された地図上で指定できるようにするなどすればよい。なお、調査エリアの設定については、情報取得エリアを指定できるようにしてもよい。
【００３１】
操作部２０１は、目的地や調査地点が設定されると、その目的地や調査地点の位置の情報を送出し、ルートが設定されると、そのルート上の所定の位置の情報を送出し、調査エリアが設定されると、そのエリア内の所定の位置の情報を送出する。なお、情報取得エリアに従って調査エリアが設定されると、その地域コードを送出する。
【００３２】
また、利用者は、操作部２０１により、情報データに含まれる各種の属性情報（属性コード）の内容を指定することもできる。具体的には、データの種別（映像情報や、音声情報、文字情報など）や、業種（宿泊施設や、娯楽施設、飲食施設など）などを指定することができる。
【００３３】
選別信号生成手段である選別信号生成部２０２は、操作部１０１から送出された目的地設定情報や、ルート設定情報、調査地点・調査エリア設定情報などの位置の情報を基にそれぞれに対する情報取得エリアを特定し、それらの情報取得エリアを示す選別信号をそれぞれ生成して出力する。ここでは、情報取得エリアを示す選別信号は上記した地域コードである。
【００３４】
つまり、選別信号生成部２０２は、操作部２０１によって設定された位置の情報を基に、その位置が属する情報取得エリアを特定し、該情報取得エリアを示す選別信号を生成する。具体的には、目的地が設定された場合にはその目的地が含まれる情報取得エリアを特定し、ルートが設定された場合にはその設定ルート上の所定の位置が含まれる情報取得エリアをそれぞれ特定し、調査地点・調査エリアが設定された場合にはその調査地点が含まれる情報取得エリア・調査エリアが含まれる情報取得エリアを特定し、これらの情報取得エリアを示す選別信号をそれぞれ生成する。
【００３５】
また、データ種別などの属性情報の内容が指定された場合には、情報取得エリアを示す信号にその指定された属性情報の内容を示す信号を追加した選別信号を生成する。例えば、データ種別と業種が指定された場合には、情報取得エリアを示す信号（地域コード）にデータ種別を示す信号（データ種別コード）と業種を示す信号（業種コード）を追加した選別信号を生成する。
【００３６】
この属性情報の内容の指定は、目的地、ルート、調査地点・調査エリアなどの位置の情報それぞれに対して行うことができるようにする。このように、情報データの属性情報の内容を指定することで、放送局からの情報データを蓄積するのに必要な記憶領域をさらに削減することが可能となる。
【００３７】
例えば、目的地を含む情報取得エリアについては、映像情報などのデータ量の大きいものから文字情報などのデータ量の小さいものまでを含む全てのデータ種別を蓄積対象とし、設定ルートを含む情報取得エリアについては、文字情報などのデータ量の小さいもののみを蓄積対象とすれば、蓄積量を抑えることができる。同様に、目的地を含む情報取得エリアについては、全ての業種を蓄積対象とし、設定ルートを含む情報取得エリアについては、飲食施設の情報などに限定すれば、蓄積量を抑えることができる。
【００３８】
受信手段である受信部２０３は、情報取得エリアごとに区切られた所定の地域（エリア）に係る様々な情報を定期的に放送する放送局（図示せず）からの放送電波（放送データ）を受信して情報データを出力する。
【００３９】
データ選別手段であるデータ選別部２０４は、受信部２０３で受信した情報データに含まれる各種属性コード（地域コード、データ種別コード、業種コードコードなど）を選別信号生成部２０２からの選別信号と比較するとともに、受信した情報データに含まれるＩＤコードを記憶部２０５に既に蓄積されている情報データに含まれるＩＤコードと比較する。そして、選別信号に該当し且つ記憶部２０５内の情報データに含まれるＩＤコードには該当しない情報データを選別して送出する。記憶手段である記憶部２０５は、データ選別部２０４により選別・送出された情報データを蓄積する。このように、記憶部２０５内の情報データに含まれるＩＤコードと比較することにより、既に記憶部２０５に蓄積されている情報データと同一内容の情報データが重複して蓄積されないようにする。
【００４０】
なお、記憶部２０５内の情報データとの比較については、ＩＤコードだけでなくその他の属性コードとも比較するようにしてもよい。また、記憶部２０５内の情報データに含まれるＩＤコードに該当する情報データであっても、情報データの内容（データ部１０３）の同一性を判断し、内容が異なっていれば選別して更新するようにしてもよい。また、情報データに更新頻度コードが含まれる場合には、記憶部２０５内の情報データに含まれるＩＤコードに該当する情報データであっても、例えば更新頻度コードが「随時更新」なら選別して更新し、その他の「年刊」などの場合には選別しないようにしてもよい。
【００４１】
当該情報受信装置は、利用者が操作部２０１を用いて目的地やデータ種別などを入力すると、選別信号生成部２０２がこれらの情報を基に選別信号を生成し、データ選別部２０４へ通知する。受信部２０３は、受信した情報データを全てデータ選別部２０４へ渡す。データ選別部２０４は、受信した情報データに含まれる各種の属性コードを、選別信号および記憶部２０５内の情報データに含まれるＩＤコードと比較して、選別信号に該当し且つ記憶部２０５内の情報データに含まれるＩＤコードには該当しない情報データを選別して送出する。記憶部２０５はデータ選別部２０４からの情報データを蓄積する。なお、蓄積した情報データの再生については、例えば操作部より利用者が指示を与えて再生するようにすればよい。
【００４２】
以上のように、本実施の形態１によれば、放送局側より一方的に情報データが放送される情報提供システムにおいて、その情報データのうちから、利用者が情報の取得を所望するエリアに係る情報データであって記憶部内の情報データとは重複しないものを選別し蓄積しておくことが可能となり、所望の情報データを要求するための送信部を必要としない安価な構成の情報受信装置を実現できるとともに、当該放送を蓄積するのに必要な記憶領域を削減することが可能となる。
【００４３】
なお、本実施の形態１では、カーナビゲーションシステムを例に挙げて説明を行ったが、利用者が操作部を使用して各種の設定を行い、その設定に基づいてデータを選別する装置であればよく、例えば携帯端末装置などにも応用することが可能である。
【００４４】
（実施の形態２）
続いて、本実施の形態２に係る情報受信装置について説明する。
図３は、本実施の形態２に係る情報受信装置の構成を示している。但し、前述した実施の形態１において説明した部材と同一の部材には同一符号を付して、詳細な説明を省略する。
【００４５】
図３において、位置情報設定手段である位置検出部３０１は、当該装置の現在位置、つまり当該装置が搭載された自動車の現在位置を検出して設定する。位置検出部３０１により設定された現在位置の情報は、その現在位置が属する情報取得エリア（所望の情報取得エリア）に係る情報データを、図示しない放送局から受信した情報データのうちから選別蓄積するための情報として用いられる。
【００４６】
当該装置の選別信号生成部２０２は、位置検出部３０１から送出された現在位置の情報を基に、現在位置が属する情報取得エリアを特定し、その情報取得エリアを示す選別信号（地域コード）を生成して出力する。
【００４７】
当該情報受信装置は、位置検出部３０１が当該装置の現在位置を検出し、選別信号生成部２０２がその現在位置の情報を基に、現在位置が属する情報取得エリアを示す選別信号（地域コード）を生成して、データ選別部２０４へ通知する。受信部２０３は、受信した情報データを全てデータ選別部２０４へ渡す。データ選別部２０４は、受信した情報データに含まれる地域コードとＩＤコードを、選別信号および記憶部２０５内の情報データに含まれるＩＤコードと比較して、選別信号に該当し且つ記憶部２０５内の情報データに含まれるＩＤコードには該当しない情報データを選別して送出する。記憶部２０５はデータ選別部２０４からの情報データを蓄積する。なお、蓄積した情報データの再生については、例えば図示しない操作部より利用者が指示を与えて再生するようにしてもよいし、情報データに含まれる座標コード（位置情報）を用いて、現在位置から所定距離内の情報データを自動再生するようにしてもよい。
【００４８】
以上のように、本実施の形態２によれば、放送局側より一方的に情報データが放送される情報提供システムにおいて、その情報データのうちから、現在位置が属する情報取得エリア（所望の情報取得エリア）に係る情報データであって記憶部内の情報データとは重複しないものを選別し蓄積しておくことが可能となり、実施の形態１と同様に、所望の情報データを要求するための送信部を必要としない安価な構成の情報受信装置を実現できるとともに、当該放送を蓄積するのに必要な記憶領域を削減することが可能となる。
【００４９】
なお、現在位置が属している情報取得エリアを特定する場合について説明したが、その情報取得エリアに隣接する情報取得エリアに係る情報データも蓄積するようにしてもよい。情報を取得するエリアの範囲を利用者が図示しない操作部により設定できるようにしてもよい。
【００５０】
また、本実施の形態２では、カーナビゲーションシステムを例に挙げて説明を行ったが、現在位置に基づいてデータを選別する装置であればよく、例えば携帯端末装置などにも応用することが可能である。
【００５１】
（実施の形態３）
続いて、本実施の形態３に係る情報受信装置について説明する。
図４は、本実施の形態３に係る情報受信装置の構成を示している。但し、前述した実施の形態１、２において説明した部材と同一の部材には同一符号を付して、詳細な説明を省略する。
【００５２】
図４において、位置情報設定手段に含まれる移動方向予測部４０１は、位置検出部３０１からの現在位置の情報を所定数サンプリングし、当該装置の移動方向を予測する。移動方向予測部４０１により予測された移動方向の情報は、図示しない放送局から受信した情報データのうちから所望の情報取得エリアに係る情報データを選別蓄積するための情報として用いられる。
【００５３】
当該装置の選別信号生成部２０２は、位置検出部３０１から送出された現在位置の情報を移動方向予測部４０１経由で受信し、その情報を基に、現在位置が属する情報取得エリアを特定するとともに、現在位置の情報と移動方向予測部４０１から送出された移動方向の情報を基に、当該装置（自動車）の移動先の情報取得エリアを予測して特定する。そしてこれらの情報取得エリアを示す選別信号（地域コード）をそれぞれ生成して出力する。
【００５４】
当該情報受信装置は、位置検出部３０１が当該装置の現在位置を検出し、移動方向予測部４０１が当該装置の移動方向を予測する。そして、選別信号生成部２０２が現在位置の情報と移動方向の情報を基に、現在位置が属する情報取得エリアを示す選別信号（地域コード）を生成するとともに、予測される移動先の情報取得エリアを示す選別信号（地域コード）を生成して、データ選別部２０４へ通知する。受信部２０３は、受信した情報データを全てデータ選別部２０４へ渡す。データ選別部２０４は、受信した情報データに含まれる地域コードとＩＤコードを、選別信号および記憶部２０５内の情報データに含まれるＩＤコードと比較して、選別信号に該当し且つ記憶部２０５内の情報データに含まれるＩＤコードには該当しない情報データを選別して送出する。記憶部２０５はデータ選別部２０４からの情報データを蓄積する。
【００５５】
以上のように、本実施の形態３によれば、放送局側より一方的に情報データが放送される情報提供システムにおいて、その情報データのうちから、現在位置が属する情報取得エリアおよび予測される移動先の情報取得エリア（所望の情報取得エリア）に係る情報データであって記憶部内の情報データとは重複しないものを選別し蓄積しておくことが可能となり、実施の形態１、２と同様に、所望の情報データを要求するための送信部を必要としない安価な構成の情報受信装置を実現できるとともに、当該放送を蓄積するのに必要な記憶領域を削減することが可能となる。
【００５６】
なお、現在位置の情報を基に、現在位置が属している情報取得エリアに隣接する情報取得エリアに係る情報データも蓄積する場合には、予測される移動先の情報取得エリアに係る情報データに関しては、隣接する情報取得エリアのさらに先の情報取得エリアに係る情報データを蓄積するようにすればよい。
【００５７】
また、本実施の形態３では、カーナビゲーションシステムを例に挙げて説明を行ったが、現在位置および移動方向に基づいてデータを選別する装置であればよく、例えば携帯端末装置などにも応用することが可能である。
【００５８】
（実施の形態４）
続いて、本実施の形態４に係る情報受信装置について説明する。
図５は、本実施の形態４に係る情報受信装置の構成を示している。但し、前述した実施の形態１ないし３において説明した部材と同一の部材には同一符号を付して、詳細な説明を省略する。
【００５９】
図５において、位置情報設定手段に含まれるギア状態監視部５０１は、当該装置が搭載される自動車のギアの状態を監視する。当該装置の移動方向予測部４０１は、このギアの状態の情報を基にサンプリングする現在位置の情報を決定し、その決定した現在位置の情報を所定数サンプリングして当該装置の移動方向を予測する。
【００６０】
具体的には、例えば、移動方向予測部４０１は、ギアの状態から当該自動車が後退していると判断すると、後退中に検出された現在位置の情報をサンプリング対象から外し、前進となった時点から再度サンプリングし直す。このようにすれば、移動方向の予測精度を向上させることができる。
【００６１】
（実施の形態５）
続いて、本実施の形態５に係る情報受信装置について説明する。
図６は、本実施の形態５に係る情報受信装置の構成を示している。但し、前述した実施の形態１ないし４において説明した部材と同一の部材には同一符号を付して、説明を省略する。
【００６２】
図６において、位置情報設定手段に含まれる重み付け部６０１は、操作部２０１や、位置検出部３０１、移動方向予測部４０１から送出される情報取得エリアを特定するための情報それぞれに対し、所定のデータ種別の情報を加える。操作部２０１からの位置の情報に対する重み付けは、目的地設定情報やルート設定情報などのそれぞれに対して行うものとする。ここで、重み付けとは、データの種別を限定することである。なお、この重み付けは、利用者が操作部２０１により任意に設定してもよいし、初期データとして保持してもよい。
【００６３】
当該装置の選択信号生成部２０２は、前述した実施の形態１ないし４で説明したように情報取得エリアを特定するとともに、情報取得エリアを示す信号それぞれに対して、重み付け部６０１により追加されたデータ種別の情報を示す信号をそれぞれ加えて選別信号を生成する。
【００６４】
但し、実施の形態１で説明したように、利用者が、操作部２０１により設定された位置の情報に対して、操作部２０１によりデータ種別を指定していた場合には、その利用者の指定を優先させる。また、利用者が、操作部２０１により、位置検出部３０１からの現在位置の情報と移動方向予測部４０１からの移動方向の情報に対して、情報データに含まれる各種の属性情報（データ種別や業種など）の内容を指定できるようにしてもよく、この場合にも、重み付け部６０１による重み付けよりも操作部２０１による利用者の指定が優先する。
【００６５】
ここで、重み付け部６０１による具体的な重み付けの方法について例を挙げる。例えば、ルート設定に係る情報データについては、文字情報などのデータ量の小さいデータを蓄積対象とし、予測される移動先の情報取得エリアに係る情報データについては、映像情報などのデータ量の大きいものから文字情報などのデータ量の小さいものまでを含む全てのデータ種別を蓄積対象とするなどする。これにより、全ての放送データを記憶しておく必要がなくなり、また、必要な情報データを漏らすことなく蓄積することができるので、放送データを蓄積するのに必要な記憶領域を削減することや、一定の記憶領域を有効に使用することが可能となる。
【００６６】
以上のように、本実施の形態５によれば、選別する情報データのデータ種別を決定でき、例えば、現在位置が属する情報取得エリアに係る情報データについては、映像情報などのデータ量の大きいものから文字情報などのデータ量の小さいものまでを含む全てのデータ種別を蓄積対象とし、予測される移動先の情報取得エリアに係る情報データについては、文字情報などのデータ量の小さいもののみを蓄積対象とするなどすれば、蓄積量を抑えることができ、放送局からの情報データを蓄積するのに必要な記憶領域を削減することが可能となる。
【００６７】
なお、操作部２０１からの位置の情報を基に行うデータ蓄積の実行と、位置検出部３０１からの現在位置の情報を基に行うデータ蓄積の実行と、移動方向予測部４０１からの移動方向の情報を基に行うデータ蓄積の実行を、利用者が任意に選択できる構成としておくことが、システム効率、省エネの観点からも望ましい。当該装置側から利用者へデータ蓄積方法についての選択を促すようにしてもよい。
【００６８】
（実施の形態６）
続いて、本実施の形態６に係る情報受信装置について説明する。
図７は、本実施の形態６に係る情報受信装置の構成を示している。但し、前述した実施の形態１ないし５において説明した部材と同一の部材には同一符号を付して、詳細な説明を省略する。
【００６９】
図７において、記憶管理部７０１は、記憶部２０５内に既に蓄積されている情報データに対する記憶管理指示を予め保持し、操作部２０１からの位置の情報、位置検出部３０１からの現在位置の情報を基に、記憶部２０５内の情報データに含まれる地域コード（エリア情報）や座標コード（位置情報）を監視して、記憶部２０５内の情報データの保護、上書き設定、消去を記憶管理指示に従って実行させる。なお、上記の記憶管理指示は、利用者が操作部２０１により任意に設定してもよいし、初期データとして保持してもよい。
【００７０】
例えば、記憶管理指示が、目的地から所定距離内の目的地周辺エリアもしくは目的地を含む情報取得エリアに係る情報データを保護し、現在位置が目的地周辺エリアもしくは目的地を含む情報取得エリアに入ったときにその他の情報データを消去もしくは上書き設定する指示であった場合、記憶管理部７０１は、操作部２０１からの目的地設定情報を基に、記憶部２０５内の情報データに含まれる座標コードや地域コードを監視して、目的地周辺エリアもしくは目的地を含む情報取得エリアに係る情報データに対して保護設定し、位置検出部３０１からの現在位置の情報から現在位置が目的地周辺エリアもしくは目的地を含む情報取得エリアに入ったことを判断すると、保護した情報データ以外の情報データに対して消去設定もしくは上書き設定する。
【００７１】
また、記憶管理指示が、実際の移動ルートから所定距離内にある既に通り過ぎた座標を持つ情報データもしくは過去に通過した情報取得エリアに係る情報データを消去もしく上書き設定する指示であった場合、記憶管理部７０１は、位置検出部３０１からの現在位置の情報から当該装置（自動車）の実際の移動ルートを履歴し、この履歴情報を基に記憶部２０５内の情報データに含まれる座標コードもしくは地域コードを監視して、移動ルートから所定距離内にある既に通り過ぎた座標を持つ情報データもしくは過去に通過した情報取得エリアに係る情報データに対して消去設定もしくは上書き設定する。このようにすれば、一定の記憶領域を有効に使用することが可能となる。このように、実際の移動ルートに係る情報データに対して保護設定すると、利用者が目的地到達後に同様の経路を辿って出発地へ戻る場合に情報データを再取得する必要がなくなる。
【００７２】
また、記憶管理指示が、操作部２０１により設定されたルートから所定距離内の設定ルート周辺エリアもしくはこの設定ルートを含む情報取得エリアに係る情報データを、既に通過したことを条件に消去もしくは上書き設定する指示であった場合、記憶管理部７０１は、操作部２０１からのルート設定情報と位置検出部３０１からの現在位置の情報を基に、記憶部２０５内の情報データに含まれる座標コードもしくは地域コードを監視して、設定ルート周辺エリアもしくはこの設定ルートを含む情報取得エリアに係る情報データに対して、既に通過したことを条件に消去設定もしくは上書き設定する。このように、操作部２０１からの位置の情報ごとに、記憶部２０５内の情報データを管理することも可能である。
【００７３】
また、記憶管理指示が、情報データの更新頻度の低いものを保護する指示である場合には、記憶管理部７０１は、記憶部２０５内の情報データに含まれる更新頻度コードを監視して、例えば「週間」などの更新頻度が低い情報データに対して保護設定する。
【００７４】
保護設定された情報データは、記憶部２０５内に存在し続けるので、データ選別部２０４における選別対象のデータから除かれ、データ選別部２０４から記憶部２０５へのアクセス回数を削減でき、システムの効率が向上する。なお、記憶管理部７０１が、保護設定した情報データのＩＤをデータ選別部２０４へ送信し、データ選別部２０４がそのＩＤに該当する情報データを選別しないようにしてもよい。
【００７５】
また、保護設定を行うことで、記憶部２０５を他の装置と共有して使用する場合に、その保護設定が解除されるまではその他の装置から消去されることがなくなり、再取得する必要がなくなる。
【００７６】
（実施の形態７）
続いて、本実施の形態７に係る情報受信再生装置について説明する。
図８は、本実施の形態７に係る情報受信再生装置の構成を示している。但し、前述した実施の形態１ないし５において説明した部材と同一の部材には同一符号を付して、詳細な説明を省略する。当該情報受信再生装置は、記憶部２０５に蓄積された情報データの再生を管理する再生管理部８０１を備えている。
【００７７】
再生管理部８０１は、例えば、位置検出部３０１からの現在位置の情報を基に、記憶部２０５内に蓄積されている情報データに含まれる地域コードもしくは座標コードを監視して、現在位置が属する情報取得エリアに係る情報データもしくは現在位置から所定距離内の座標を持つ情報データを自動再生する。また、無論、操作部２０１からの指令に従って再生する機能も有する。
【００７８】
なお、本実施の形態５ないし７では、カーナビゲーションシステムを例に挙げて説明を行ったが、利用者による各種設定や、現在位置、移動方向に基づいてデータを選別する装置であればよく、例えば携帯端末装置などにも応用することが可能である。
【産業上の利用可能性】
【００７９】
本発明にかかる情報受信装置、および情報受信再生装置は、受信した情報のうちから利用者にとって有用な情報のみを選別蓄積するとともに、双方向な通信設備を必要としない安価な構成となり、カーナビゲーションや携帯端末装置などに応用できる。
【図面の簡単な説明】
【００８０】
【図１】本発明の実施の形態に係る放送データのフォーマットの一例を示す図
【図２】本発明の実施の形態１に係る情報受信装置の構成を示す図
【図３】本発明の実施の形態２に係る情報受信装置の構成を示す図
【図４】本発明の実施の形態３に係る情報受信装置の構成を示す図
【図５】本発明の実施の形態４に係る情報受信装置の構成を示す図
【図６】本発明の実施の形態５に係る情報受信装置の構成を示す図
【図７】本発明の実施の形態６に係る情報受信装置の構成を示す図
【図８】本発明の実施の形態７に係る情報受信再生装置の構成を示す図
【符号の説明】
【００８１】
１０１      放送データ
１０２      パケット
１０３      データ部
１０４      ヘッダ部
１０５      データ選別コード部
１０６      ＩＤコード
１０７      地域コード
１０８      データ種別コード
１０９      業種コード
２０１      操作部
２０２      選別信号生成部
２０３      受信部
２０４      データ選別部
２０５      記憶部
３０１      位置検出部
４０１      移動方向予測部
５０１      ギア状態監視部
６０１      重み付け部
７０１      記憶管理部
８０１      再生管理部
【図１】
2006345216.tif 000003
【図２】
2006345216.tif 000004
【図３】
2006345216.tif 000005
【図４】
2006345216.tif 000006
【図５】
2006345216.tif 000007
【図６】
2006345216.tif 000008
【図７】
2006345216.tif 000009
【図８】
2006345216.tif 000010